(57)【要約】【課題】  きわめて細経かつ特異な部分照射方式の側面発光型光ファイバーを使用することにより、コード部分のフレキシブル性、柔軟な操作性と照明部の折り曲げ変形性を確保するとともに照明部の全長にわたり均一な明るさで照射することを可能にするなど使用性に優れた医療用照明具を安価に提供すること。【解決手段】コア３ａの外周にクラッド３ｂを有するプラスチック光ファイバー３の多数本（８０〜６５０本）を束にして透光性を有する可撓性チューブ２に挿着し、そのチューブ２の一端には光源ケーブル接続用のコネクター５を設けるとともに他端側には折り曲げ可能な中芯部材４を内設して該中芯部材に前記光ファイバーを添設せしめた照明部２ｂを形成し、前記各光ファイバーは、外径が０．２〜０．５ｍｍであり、かつ前記照明部の略長さ範囲で側面発光処理を施した照射部を構成している。そして、上記照明部２ｂには、拡幅偏平状（面状）と円筒状（棒状又は柱状）の二つの形態がある。【選択図】      図１
2004305756.tif 000002
【特許請求の範囲】
【請求項１】
プラスチック光ファイバーの多数本を束にして透光性を有する可撓性チューブに挿着し、そのチューブの後端には光源ケーブル接続用のコネクターを設けるとともに先端側には折り曲げ可能な中芯部材を内設して該中芯部材に前記光ファイバーを添設せしめた照明部を形成し、前記各光ファイバーは、外径が０．２〜０．５ｍｍであり、かつ前記照明部の略長さ範囲で側面発光処理を施した照射部を構成している医療用照明具。
【請求項２】
上記光ファイバーがコアの外周にクラッドを有するプラスチック光ファイバーであり、前記側面発光処理が、各光ファイバーの前記クラッドを全周面にわたり不規則に残した剥離状態とすることを特徴とする請求項１記載の医療用照明具。
【請求項３】
上記チューブの照明部が拡幅偏平状であり、中芯部材が片面に反射面処理を施した金属薄板であって、該金属薄板の反射面上に前記光ファイバーの照射部を敷設せしめたことを特徴とする請求項１又は２記載の医療用照明具。
【請求項４】
上記チューブの照明部が円筒状であり、中芯部材がワイヤーであって該ワイヤーの外周を囲むように前記光ファイバーの照射部を配置せしめたことを特徴とする請求項１又は２記載の医療用照明具。
【請求項５】
上記ワイヤーが外周面に反射面処理を施していることを特徴とする請求項４記載の医療用照明具。
【請求項６】
上記請求項４又は５記載の医療用照明具において、前記照明部の円筒状開口端にキャップを嵌め込んで封着し、該キャップの内端には前記ワイヤーの先端が挿着して固定されるとともにワイヤーの後端位置を照明部の後部近傍とし、その後端部を前記チューブの熱収縮により固定させたことを特徴とする医療用照明具。
【請求項７】
上記キャップが透光性を有するプラスチック材であることを特徴とする請求項６記載の医療用照明具。
【請求項８】
上記チューブの外周に遮光性を有する円筒状カバーをスライド可能に装着し、該カバーにより照明部の所望範囲を適宜に覆うようにしたことを特徴とする請求項４〜７の何れか１項記載の医療用照明具。
【発明の詳細な説明】
【技術分野】
【０００１】  本発明は、医師による手術時又は治療時に患者の患部あるいはその近傍を照射する医療用照明具に関し、さらに詳しくは、側面発光型のプラスチック光ファイバーを使用した医療用照明具に関する。
【背景技術】
【０００２】  一般に、医療用照明具は、手術台の近傍で光源側のソケットに接続されるコード部分とその先端側に設けられる照明部とを一体に形成されており、そのコード部分は患者の身体に沿わせるなど取り扱い上の便宜のために可撓性（フレキシブル性）を必要とするが発光の必要はない。したがって、側面発光型の光ファイバーを使用する場合には、先端側の一定長さのみを照射部とする部分照射方式の光ファイバーを使用することが望ましい。
一方、照明部は、長さ３〜１５ｃｍであるが、長い場合には、患部を直接に照らすことができるように湾曲状や所望角度に折り曲げるなど変形可能であることが好ましく、しかも全長にわたり均一な明るさで照射することが望ましい。【０００３】  従来、側面発光型の光ファイバーを使用した照明装置として、特許文献１に示すように、長さ方向に沿って均一に発光するように加工された側面発光方式の光ファイバーを複数本並列に並べ、密封用素材で面状になるよう密封し、少なくともどちらかの面の密封には透光性素材を用いた照明装置が知られている。
また、特許文献２には、照明用光ファイバー（光ケーブル）として、先端側など光ファイバーの一部分のみに光を集中して照射する方式、その中で図５の実施例には、光ファイバ１３の長手方向のクラッド１１の一部が除去されてコア１２の露出した部分のコア表面に拡散塗料が塗布された光拡散処理部１４を形成し、その光拡散処理部１４を通して発光させる構成が開示されている。【０００４】
【特許文献１】          特開平７−３０１７１２号公報
【特許文献２】          特開２０００−１４７２６３号公報（図５に示す実施例）
【発明の開示】
【発明が解決しようとする課題】
【０００５】  しかしながら、上記特許文献１の照明装置には、長さ方向に沿って均一に発光するように加工された側面発光方式の光ファイバーを使用することが記載されているものの、その側面発光させる具体的構成が開示されていないが、例え外径が１ｍｍの光ファイバーであっても光源に近い部分から遠い位置にかけて輝度の減衰の影響を受けるので、必要とする照射部の全長にわたり均一に発光させることは困難である。そのため、上記のように、照明部の全長にわたり均一な明るさで照射することが望まれる医療用照明具として適用し得ない。
また、特許文献１の照明装置は、外径１ｍｍの光ファイバーを複数並列に並べるものであるが、当該光ファイバーを多数本（例えば、数１００本）を束状に配置した場合には、医療用照明具に要求されるコード部分のフレキシブル性、柔軟な操作性と照明部の折り曲げ変形性を確保することが困難である。【０００６】  また、特許文献２によれば、光ファイバー（光ケーブル）のコア３の外径が２ｍｍ以上３０ｍｍ以下と記載されているが、図５の構成においてはコア表面の片面に拡散塗料を塗布する必要から、光ファイバーの外径は相当に大きくするものと考えられる（実施例２によれば、コア外径１０ｍｍ、クラッド厚さ０．５ｍｍであって外径１１ｍｍ）。
しかるに、この特許文献２の光ファイバーは、部分照射方式であるが前述と同様に、その部分照射部の全長においてさえ均一に発光させることは困難であるとともに多数本を束状にした場合には、特許文献１以上にコード部分のフレキシブル性、柔軟な操作性と照明部の折り曲げ変形性を確保することが困難である。
しかも、特許文献２の光ファイバーは、部分照射方式であるが、クラッドの一部を除去した後にコアの表面に拡散塗料を塗布するものであって、その製造に手数を要しコスト高であるばかりでなく、コアの片面側にのみ発光を集中させる方式であるため、複数本又は多数本を配列する場合に配向作業が困難であって医療用照明具とするには実用性に乏しいものである。【０００７】  本発明は、上記事情に鑑みその従来不具合を解消するために、きわめて細経かつ特異な部分照射方式の側面発光型光ファイバーを使用することにより、コード部分のフレキシブル性、柔軟な操作性と照明部の折り曲げ変形性を確保するとともに照明部の全長にわたり均一な明るさで照射することを可能にするなど使用性に優れた医療用照明具を安価に提供することを目的とするものである。
【課題を解決するための手段】
【０００８】  斯る本発明の医療用照明具は、プラスチック光ファイバーの多数本を束にして透光性を有する可撓性チューブに挿着し、そのチューブの後端には光源ケーブル接続用のコネクターを設けるとともに先端側には折り曲げ可能な中芯部材を内設して該中芯部材に前記光ファイバーを添設せしめた照明部を形成し、前記各光ファイバーは、外径が０．２〜０．５ｍｍであり、かつ前記照明部の略長さ範囲で側面発光処理を施した照射部を構成していることを特徴とする（請求項１）。
上記光ファイバーの側面発光処理は、該光ファイバーの所定範囲で発光するものであればその処理手段に限定されないが、請求項２によれば、簡易な手段により極細径な光ファイバーから有効な照射光を照射させるために、コアの外周にクラッドを有するプラスチック光ファイバーの前記クラッドを全周面にわたり不規則に残した剥離状態とする。【０００９】  上記光ファイバーは、そのコアの材料として、柔軟性、透明性に優れているプラスチック材、例えば、アクリル系ポリマー、エチレン−酢酸ビニル共重合体、酢酸ビニル−塩化ビニル共重合体等の可撓性ポリマーを使用する。
クラッドの材料としては、コアよりも低屈折率を有するプラスチック材であれば特に限定されないが、通常、テトラフルオロエチレン−ヘキサフルオロプロピレン（ＦＥＰ）、テトラフルオロエチレン−ヘキサフルオロプロピレン−フッ化ビニリデン等のフッ素系樹脂が使用される。
また、光ファイバーとして所謂ＰＭＭＡ系のプラスチック材を使用することもよい。【００１０】  上記光ファイバーの外径は、可撓性を確保すること及び長手方向の輝度の減衰率を小さくするためにできるだけ細径とし、０．２〜０．５ｍｍのものを使用する。外径が０．２ｍｍ未満の場合には、成形性に劣り製造困難であるとともに強度が小さ過ぎることになり、０．５ｍｍを超える場合には所望の可撓性及び輝度の減衰率を確保し得ないからである。【００１１】  光ファイバーは、その先端所定長さ部分のクラッドを溶剤により剥離するが、クラッドを全面剥離するのではなく、溶剤への浸漬時間を調整することによってコアの全周面にわたり、詳しくはコアの長手方向及び周面方向にわたり不規則に残った状態となるようにする。
それにより、残存したクラッドの外表面及び一部近傍に光散乱層が形成され、コア内を伝送する光が該クラッド部分に漏れ出ることになり、その範囲がコアの所定長さに限定される照射部を形成する。【００１２】  上記光ファイバーは、その多数本（８０〜６５０本）を束にして可撓性チューブに挿着し、該チューブの照明部内の中芯部材に各光ファイバーの照射部が添設され、それら光ファイバーの一端から入射した光が照射部のクラッド部分を通して外周全方位に照射され、その過半部が外方へ直接に照射するととともに一部が金属部材に反射して外方へ照射して照明部の照明光が形成される。
中芯部材は、必ずしもそれに限定されるものではないが、光ファイバーからの照射光が反射し易いように反射面処理、例えば、鏡面仕上げをし、あるいは反射面処理をした金属箔や紙材を中芯部材の外周に介在させることが好ましい。【００１３】  その照明部の形態により二種類の照明具が形成される。
その一つの形態は、上記チューブの照明部が拡幅偏平状であり、中芯部材が片面に反射面処理を施した金属薄板であって、該金属薄板の反射面上に前記光ファイバーの照射部を敷設せしめたことを特徴とする（請求項３）。
他の一つの形態は、上記チューブの照明部が円筒状であり、中芯部材がワイヤーであって、該ワイヤーの外周を囲むように前記光ファイバーの照射部を配置せしめたことを特徴とする（請求項４）。【００１４】  上記照明部が円筒状の形態の場合、必要に応じて、前記ワイヤーの外周面に反射面処理を施しておくこともよく（請求項５）、また、前記ワイヤーの取り付け固定手段として、前記照明部の円筒状開口端にキャップを嵌め込んで封着し、該キャップの内端には前記ワイヤーの先端が挿着して固定されるとともにワイヤーの後端位置を照明部の後部近傍としその後端部を前記チューブの熱収縮により固定させたことを特徴とする（請求項６）。
その場合に、上記キャップは、ワイヤー先端の固定部材として機能するとともに照明部の先端をシールして汚染物等の浸入を防止するものであり、さらに、上記キャップを透光性を有するプラスチック材とすれば（請求項７）、該キャップを通して照明部の先端からも照明光を照射することができる。【００１５】  また、上記照明部が円筒状形態の場合、上記チューブの外周に遮光性を有する円筒状カバーをスライド可能に装着し、該カバーにより照明部の所望範囲を適宜に覆うようにすることが好ましく（請求項８）、それにより、照明部の実質的な長さを可変とすることができる。
【発明を実施するための最良の形態】
【００１６】  本発明の実施の形態を図面に基づいて説明する。
図１〜図５は第１の実施の形態を示し、図において照明具１は、透明又は白色で透光性を有する塩化ビニルなどの可撓性チューブ２、多数本（３００〜４００本）のプラスチック光ファイバー３及び中芯部材としての金属薄板４により構成される。【００１７】  チューブ２は、長さが約５０〜８０ｃｍからなる小径円筒状のコード部分２ａと、その先端部約１０ｃｍに形成された拡幅偏平状の照明部２ｂとを連続一体に成形したものである。
このチューブ２には、その照明部２ｂ側から光ファイバー３の多数本を束にしてコード部分２ａの先端に至るまで挿入するとともに照明部２ｂのみに金属薄板４を挿入せしめ、前記コード部分２ａの外端には、光ファイバー３の端部を束ねた状態で固定する光源ケーブル接続用のコネクター５を取り付ける。
一方、チューブ２の照明部２ｂ内に挿入された光ファイバー３の束は、照明部２ｂの内幅に合わせ広げた状態にして前記金属薄板４上に敷設し、照明部２ｂの開口端を熱シール等により封着する。【００１８】  上記照明具１は、そのコード部分２ａのコネクター５を、ハロゲンランプ等の光源器具６に設けた光源ケーブル７のソケット７ａに接続することにより、各光ファイバー３の一端に光源からの光が入射される。
そして、入射された光は、各光ファイバー３内を伝送され、前記照明部２ｂ内の後述する光ファイバー３の照射部１０から照射する。【００１９】  光ファイバー３は、その中心部のコア３ａと外周を被覆するクラッド３ｂとにより形成されるが、コア３ａの材料としてアクリル系の可撓性ポリマーを主成分とするプラスチックを使用し、クラッド３ｂの材料としてフッ素系樹脂を使用した場合、そしてコア３ａの外径が０．２５ｍｍ、クラッド３ｂの厚さが４．７μｍの場合を例示する。
この光ファイバー３を数１００本単位に束ねて、その先端部分１０ｃｍを、クラッド３ｂを溶解する溶剤、例えば、酢酸エチル、無水アルコールを主成分とする溶剤中に浸漬すると、クラッド３ｂが溶解し始めるので、その適時に光ファイバーを引き上げることにより、クラッド３ｂの大部分が溶解して（コアの一部も含まれる）コア３ａが露出した状態、つまり、コア３ａの全周面にわたりクラッド３ｂが部分的不規則に残存した状態が得られる（図４及び図５参照）。【００２０】  上記クラッド３ｂを部分的に剥離した範囲Ｌが光ファイバー３の照射部１０であって、この照射部１０においては、コア３ａ内を伝送する光が該クラッド３ｂを通して漏れ出る照射光となる。この照射光は、光ファイバー３の外径が細径であり輝度の減衰率が小さいために、照射部１０の全長（１０ｃｍ）で略均一な明るさ、すなわち、照射部１０の先端方の残存クラッド３ｂに至るにしたがって照射する明るさが低下することが抑制される。
なお、照射部１０におけるクラッド３ｂの残存量は、光ファイバー３を溶剤中に浸漬する時間を長短変更することにより調整することができる。【００２１】  金属薄板４は、前記チューブ２の偏平条の照明部２ｂ内に挿着されるアルミニューム等の薄板であり、その厚さを約１ｍｍ程度として折り曲げ変形可能としたものである。
この金属薄板４は、少なくとも片面を鏡面加工が施された反射面とし、該反射面上に前記多数本の光ファイバー３を横幅いっぱいに広げて配列するとともに多段状に敷設し、その状態で光ファイバー３及び金属薄板４がチューブ２の照明部２ｂ内に封入されている（図２及び図３参照）。
したがって、チューブ２の照明部２ｂは、金属薄板４の反射面に対抗する片側面が照明面１１となる（図３参照）。【００２２】  而して、上記光源器具６から発して前記チューブ２内の各光ファイバー３の一端に入射した光は、各光ファイバー３のコア３ａ内を伝送されて照射部１０に達し、該照射部１０において前述のとおり、コア３ａの全周面にわたり残存するクラッド３ｂを通して略均一な明るさで照射する。
そして、各光ファイバー３の照射部３ｂから発した照射光は、照明部２ｂの照明面１１側に向かう光がそのまま照明面１１を通して照射し、金属薄板４側に向かう光が該金属薄板４の反射面に反射して照明面１１を通し照射して照明光となる。
したがって、光源器具６からの発光は、各光ファイバー３の照射部１０において有効に照射して照明光になるとともに、各光ファイバー３の照射部１０ではその全長にわたり均一な明るさで照射されるので、照明面１１もまたその全面にわたり均一な明るさが得られる。
なお、照明部２ｂ内には多数本の光ファイバー３が多段状密集して配列されているが、近接する光ファイバー３，３間の隙間、詳しくは光ファイバーの配列間隙とクラッド３ｂの剥離によって形成されたコア周面間の隙間を介して光ファイバー間を通過する。【００２３】  上記照明具１は、手術又は治療の際に、医師等がコード部分２ａの先端部と照明部２ｂの後部とに渉る部分を手で持ち、或いは手術用器具に取り付け照明面１１を患者の患部へ向けて使用するが、そのコード部分２ａに可撓性（フレキシブル性）があって柔軟な操作性に優れるので、照明面１１を任意の方向へ動かしやすく医師等の手術又は治療動作に追従しやすい。
また、上記金属薄板４が折り曲げ変形可能であることにより、前記照明部２ｂを湾曲させ、あるいは所定角度に屈曲させるなど変形させて凸面状又は凹面状の照明面１１を得ることができ（図２の二点鎖線参照）、その場合でも、光ファイバー３が細径であるので、その変形に対する追従性がよく光ファイバー３の損傷を防止することができる。【００２４】  次に、図６及び図７は第２の実施の形態を示す。
同図の照明具２１は、チューブ２２の照明部２２ｂをコード部分２２ａと同径の小径円筒状にするとともに該チューブ２２内に中芯部材としてのワイヤー２４を貫挿着し、その外周に前述の光ファイバー３（図４及び図５参照）を配置せしめたものである。
上記チューブ２２の材質、コード部分２２ａ及び照明部２２ｂの長さは第１の実施の形態と同一であるので説明を省略する。【００２５】  上記照明部２２ｂ内には、図７に示すように、前記ワイヤー２４を中芯にしてその外周に多数本（２００〜３００本）からなる光ファイバー３の照射部１０（図４参照）が配列されている。
ワイヤー２４は、折り曲げ変形可能な銅やアルミニューム等の線材であって、少なくとも照明部２２ｂ内に配置部分の外周面を鏡面仕上げした反射面としている。したがって、チューブ２２の照明部２２ｂは、その外周全面が照明面３１である。
なお、ワイヤー２４として、折り曲げ変形させた状態を保持する形状記憶樹脂を使用することもよい。【００２６】  而して、上記照明具２１において、前記チューブ２２内の各光ファイバー３の一端に入射した光は、各光ファイバー３のコア３ａ内を伝送されて照射部１０に達し、該照射部１０において前述のとおり、コア３ａの全周面にわたり残存するクラッド３ｂを通して略均一な明るさで照射し（図４及び図５参照）、その照射光（ワイヤー２４の反射面に反射する照射光を含む）は、照明面３１を介して全周囲に照射する照明光となる。
この照明具２１も、医師等がコード部分２２ａ又は照明部２２ｂの後部を手で持ち、或いは手術用器具に取り付け照明面３１を患者の患部へ向けて使用する。
その際に、上記ワイヤー２４が折り曲げ可能であることにより、前記照明部２２ｂを湾曲させ（例えば、円弧状又は略リング状）、あるいは所定角度に屈曲させるなど変形させた状態で使用することができる（図６参照）。また、この照明具２１においては、コード部分２２ａにもワイヤー２４が挿着されているので、該コード部分２２ａも適宜に折り曲げ変形させることができる。【００２７】  図８及び図９は第２の実施の形態を改良した第３の実施の形態を示す。
同図の照明具４１は、チューブ４２の照明部４２ｂをコード部分４２ａと同径の小径円筒状にするとともに該チューブ４２の照明部４２ｂ内に中芯部材としてのワイヤー４４を貫挿着し、その外周に前述の光ファイバー３（図４及び図５参照）を配置せしめ、照明部４２ｂの先端開口部をキャップ４５で封着したものである。さらに、チューブ４２の外周には、遮光性のカバー４６を装着するものである（図９参照）。
上記チューブ４２の材質、コード部分４２ａ及び照明部４２ｂの長さは第２の実施の形態と同一であるので説明を省略する。
なお、上記チューブ４２の照明部４２ｂもまた、その外周全面が照明面５１である。【００２８】  キャップ４５は、透光性を有するアクリル樹脂等を略砲弾形に形成した樹脂成形品であり、その外周に突縁４５ａを有するとともに内面中心部に挿入孔４５ｂを設け、該挿入孔４５ｂに前記ワイヤー４４の先端を圧入又は挿入接着し取り付ける。
このキャップ４５及びワイヤー４４は、そのワイヤー４４を照明部４２ｂの開口端から該照明部４２ｂ内に挿着せる光ファイバー束の中心部に差し込みながら、キャップ４５を前記開口端に嵌め込み、しかる後に、チューブ４２の先端部分を熱収縮処理することによりチューブ４２をキャップ４５に密着させて照明部４２ｂの先端開口部を封着する。
そして、このキャップ４５が透光性を有することにより、各光ファイバー３のコア３ａを通過した光は該光ファイバー３の先端からキャップ４５を通して先方へ照射することになり、したがって、この照明具４１は、照明部４２ｂの外周前面が照明面５１になるとともに前述した照明具２１に比べて、キャップ４５の前面もまた照明面５１ａとして作用する。【００２９】  ワイヤー４４は、前記ワイヤー２４と同様に、折り曲げ変形可能な銅やアルミニューム等の線材又は形状記憶樹脂であり、その外周面には必要に応じて鏡面仕上げを施すようにする。
上記ワイヤー４４は、その後端位置を前記照明部４２ｂの後部近傍、詳しくはコード部分４２ａ内に入り込んだ位置とし、その後端部外周のチューブ４２を熱収縮処理で凹圧部４７を形成することにより固定する。すなわち、ワイヤー４４は、その先端部及び後端部がそれぞれキャップ４５及び凹圧部４７により固定されている。
このワイヤー４４の一例を示すと、線径約１．５ｍｍ、長さ１５ｃｍの銅線を使用している。なお、ワイヤー４４の長さは１５〜２５ｃｍが好ましい。【００３０】  カバー４６は、チューブ４２より内径を大きくして該チューブ４２の外周にスライド可能とした塩化ビニル等のチューブであり、照明部４２ｂからの照射光を遮断するように遮光性を有し、また、可撓性を有してチューブ４２と共に折り曲げ可能としたものである。
このカバー４６は、コード部分４２ａと照明部４２ｂとの間をスライドさせることにより、照明部４２ｂの実質的な長さ、つまり照明光の照射範囲を長短変更させるようにするものである。【００３１】  而して、上記照明具４１において、前記チューブ４２内の各光ファイバー３の一端に入射した光は、各光ファイバー３のコア３ａ内を伝送されて照射部１０に達し、該照射部１０において前述のとおり、コア３ａの全周面にわたり残存するクラッド３ｂを通し、かつコア３ａを通過して略均一な明るさで照射し（図４及び図５参照）、その照射光（ワイヤー４４の反射面に反射する照射光を含む）は、照明面５１及び５１ａを介して全周囲に照射する照明光となる。
この照明具４１は、医師等がコード部分４２ａの先端部又は照明部４２ｂの後部（ワイヤー４４の位置する部分）を手で持ち、或いは手術用器具に取り付け照明面５１を患者の患部へ向けて使用するが、その持ち手部分より後方のコード部分２ａにはワイヤー４４がないので可撓性（フレキシブル性）があって柔軟な操作性に優れる。したがって、照明面１１を任意の方向へ動かしやすく医師等の手術又は治療動作に追従しやすい。
そして、上記ワイヤー４４が折り曲げ可能であることにより、前記第２の実施の形態と同様に、前記照明部４２ｂを湾曲させ（例えば、円弧状又は略リング状）、あるいは所定角度に屈曲させるなど変形させた状態で使用することができる（図９参照）。【００３２】  また、上記カバー４６をスライドさせることにより照明部４２ｂの所望の範囲を遮光することができるので、処置をする患部に応じて照明が邪魔（眩し過ぎる）にならない程度に照明部４２ｂを絞ることもできる。例えば、患部を集中して照射する必要がある場合には、図９に示すように、照明部４２ｂのキャップ４５を含む先端部分だけを露出させて他の部分を遮光させることもできる。【００３３】  なお、上述した実施の形態においては、照明部の長さを１０ｃｍと説明したが、当該長さを必要に応じて１０ｃｍ以下または以上に適宜に変更することは任意である。
また、上記光ファイバー３の束を第１実施の形態においては３００〜４００本とし、第２及び第３の実施の形態においては２００〜３００本とした場合を例示したが、それに限定されるものではなく、光ファイバー３の外径を大きくする場合、例えば０．４ｍｍや０．５ｍｍなどを使用する場合には、その本数を少なくし、外径を小さくする（０．２ｍｍなど）場合には、その本数を多く使用するようにすることも任意である。
【発明の効果】
【００３４】  本発明の医療用照明具によれば、外径が０．２〜０．５ｍｍからなる細径の部分照射型光ファイバーを使用するので、入光端から照射部に至る部分においてはもちろんと、照射部においても長手方向における輝度の減衰率が小さいので、照射部を比較的長い５〜１０ｃｍにした場合でも照射光の明るさを照射部全長にわたり均一にすることができ、したがって全面の明るさが均一な照明部を形成することができる。
また、光ファイバーの外径が細径であることにより、それら多数本を束ねた状態でも可撓性に優れるので、医師等が照明具を手で持ち操作する場合でも、照明面を任意の方向へ動かすなど医師等の手術又は治療動作に追従しやすく、また、コード部分を患者の身体に沿わせる場合などの使用性、取り扱い性に優れる。しかも、中芯部材を折り曲げて照明部を変形させて使用する場合において、光ファイバーの損傷を防止でき耐久性を向上させることができる。
【００３５】  そして、請求項２によれば、光ファイバーの照射部は、クラッドが全周面にわたり不規則に残った状態で剥離することにより形成されるので、各光ファイバーの照射部から全方位にわたり輝度の高い照射光が照射されることになる。したがって、光ファイバー多数本（２００〜４００本）を束にして使用することと相俟って照射光を有効に利用した明るい照明部を得ることができる。
しかも、上記光ファイバーの照射部は、それらの多数本を溶剤中に所定時間浸漬することにより製造することができるので、特許文献２の如く拡散塗料を部分的に塗布する方式に比べ、製造容易にして安価に提供することができる。
【００３６】  請求項３によれば面状の医療用照明具が提供され、請求項４によれば棒状又は柱状の医療用照明具を提供することができる。
また、請求項３及び４によれば、金属薄板又はワイヤー自体に反射面が形成されているので、反射面処理した金属箔や紙材等を別途に用意する必要がなく、さらに製作が容易となる。
【００３７】  そして、請求項６によれば、ワイヤーを略照明部位のみに配置する場合でも安定した取り付け構造が得られ、使用性、操作性に優れた棒状又は柱状の医療用照明具を提供することができるとともにキャップにより照明部先端を保護するので、手術又は治療中に汚染物が照明部内に浸入することを防止できる。
また、請求項７によれば、キャップを通して照明部の先端からも照明光を照射することができるので、患部の局部的照明も容易となり使用性をさらに向上させることができる。
【００３８】  さらに、請求項８によれば、遮光性カバーをチューブに沿ってスライドさせることにより照明部の範囲を調整することができるので、処置する患部に応じて照明を適度に絞り、あるいは局部を集中照明することができるなど手術又は治療に有用な医療用照明具を提供することができる。
【図面の簡単な説明】
【００３９】
【図１】  本発明における第１実施の形態の医療用照明具を示す部分断面した平面図である。
【図２】  図１に示す医療用照明具の断面側面図である。
【図３】  図２における（３）−（３）線に沿う拡大断面図である。
【図４】  光ファイバーの要部を示す拡大図である。
【図５】  図４の拡大断面図であって、（ａ）と（ｂ）は異なる位置の断面を示す。
【図６】  本発明における第２実施の形態の照明具を示す斜視図である。
【図７】  図６における（７）−（７）線に沿う拡大断面図である。
【図８】  本発明における第３実施の形態の照明具を示す要部の断面側面図である。
【図９】  図８の照明具を示す斜視図である。
【符号の説明】
【００４０】    １：照明具                            ２：チューブ
２ａ：コード部分                      ２ｂ：照明部
３：光ファイバー                      ３ａ：コア
３ｂ：クラッド                        ４：金属薄板
５：コネクター                        １０：照射部
２１：照明具                          ２２：チューブ
２２ａ：コード部分                    ２２ｂ：照明部
２４：ワイヤー
４１：照明具                          ４２：チューブ
４２ａ：コード部分                    ４２ｂ：照明部
４４：ワイヤー                        ４５：キャップ
４６：カバー
【図１】
2004305756.tif 000003
【図２】
2004305756.tif 000004
【図３】
2004305756.tif 000005
【図４】
2004305756.tif 000006
【図５】
2004305756.tif 000007
【図６】
2004305756.tif 000008
【図７】
2004305756.tif 000009
【図８】
2004305756.tif 000010
【図９】
2004305756.tif 000011